(57)【要約】【課題】精度の高い曲面を要しないレールであって、レールの幅を小さくコンパクト化できる構造の複式ガイドレールを提供する。【解決手段】複式ガイドレールであって、抽斗側レール部材は、その横断面において、４つの壁部２２Ａ，２２Ｂ，２２Ｃ，２２Ｄに囲まれた矩形状を成しつつ隙間開口を有し、収納体側レール部材も４つの壁部２２Ａ’，２２Ｂ’，２２Ｃ’，２２Ｄ’に囲まれた矩形状を成しつつ隙間開口を有し、中間レール部材一端側は、卍の一部を成す壁部１２Ａ，１２Ｂ，１２Ｃを有し、他端側も卍の一部を成す壁部１２Ａ’，１２Ｂ’，１２Ｃ’を有し、抽斗側レール部材と収納体側レール部材の夫々の内部に、保持部材３０，３０’に装着され、夫々のレール部材と中間レール部材との２次元方向のガタを規制する転動体Ｒ１，Ｒ２，Ｒ３，Ｒ４；Ｒ１’，Ｒ２’，Ｒ３’，Ｒ４’を有するユニット体を具備するよう構成する。【選択図】        図２
2004215750.tif 000002
【特許請求の範囲】
【請求項１】
キャビネット等の家具の引出体と収納体との間に設けられ、収納体側に装着された収納体側レール部材と、該レール部材に対して相対移動する中間レール部材と、該中間レール部材に対して相対移動すると共に引出体側に装着された引出体側レール部材とを有する複式ガイドレールであって、
引出体側レール部材は、その横断面において、第１壁部と、該第１壁部の一端部において折曲状に延伸した第２壁部と、他端部においても第１壁部に対して第２壁部と同じ側に折曲状に延伸した第４壁部と、第２壁部の延伸先側端部において、該第２壁部に対して第１壁部と同じ側に折曲状に延伸し、第４壁部とは離隔している第３壁部とを具備し、
収納体側レール部材は、その横断面において、第１’壁部と、該第１’壁部の一端部において折曲状に延伸した第２’壁部と、他端部においても第１’壁部に対して第２’壁部と同じ側に折曲状に延伸した第４’壁部と、第２’壁部の延伸先側端部において、該第２’壁部に対して第１’壁部と同じ側に折曲状に延伸し、第４’壁部とは離隔している第３’壁部とを具備し、
中間レール部材は、その横断面における一端側が、引出体側レール部材の第３壁部と第４壁部との間の隙間開口を介して内部に挿入され、前記第３壁部の側から第１壁部の側に向かって延伸するＡ壁部と、該Ａ壁部の前記第１壁部に近い側の端部から前記第２壁部に向かって延伸するＢ壁部と、該Ｂ壁部の前記第２壁部に近い側の端部から前記第１壁部に向かって延伸するＣ壁部とを具備して引出体側レール部材とは互いに隙間を有して離隔しており、
また、他端側が、収納体側レール部材の前記第３’壁部と第４’壁部との間の隙間開口を介して内部に挿入され、前記第３’壁部の側から第１’壁部の側に向かって延伸するＡ’壁部と、該Ａ’壁部の前記第１’壁部に近い側の端部から前記第２’壁部に向かって延伸するＢ’壁部と、該Ｂ’壁部の前記第２’壁部に近い側の端部から前記第１’壁部に向かって延伸するＣ’壁部と、Ａ’壁部に連続して該収納体側レール部材の外方に延伸し、前記Ａ壁部に連続する延伸部とを具備して収納体側レール部材とは互いに隙間を有して離隔しており、
引出体側レール部材と収納体側レール部材の夫々の内部に、保持部材に装着され、夫々のレール部材と中間レール部材との２次元方向のガタを規制するよう２つの部材壁部間にほぼ亘って配設された、夫々少なくとも４箇所に配設された転動体を有するユニット体を具備し、
前記引出体側レール部材内のユニット体は、引出体側レール部材に内挿されると共に中間レール部材のＢ壁部とＣ壁部とを内挿する横断面形状を有する保持部材と、該保持部材に装着され、第１壁部とＢ壁部との対向壁面間にほぼ亘って転動する第１転動体と、第３壁部とＢ壁部との対向壁面間にほぼ亘って転動する第２転動体と、第４壁部とＣ壁部との対向壁面間にほぼ亘って転動する第３転動体と、第２壁部とＡ壁部との対向壁面間にほぼ亘って転動する第４転動体とを具備し、
前記収納体側レール部材内のユニット体は、収納体側レール部材に内挿されると共に中間レール部材のＢ’壁部とＣ’壁部とを内挿する横断面形状を有する他の保持部材と、該保持部材に装着され、第１’壁部とＢ’壁部との対向壁面間にほぼ亘って転動する第１’転動体と、第３’壁部とＢ’壁部との対向壁面間にほぼ亘って転動する第２’転動体と、第４’壁部とＣ’壁部との対向壁面間にほぼ亘って転動する第３’転動体と、第２’壁部とＡ’壁部との対向壁面間にほぼ亘って転動する第４’転動体とを具備する
以上の３つのレール部材の組合せが存在する
ことを特徴とする複式ガイドレール。
【請求項２】
前記引出体側レール部材を引出体の側面側に取り付け、収納体側レール部材の前記１’〜４’壁部は、引出体側レール部材の上側又は下側に配置されてなる請求項１記載の複式ガイドレール。
【請求項３】
前記引出体側レール部材を引出体の底側に取り付け、収納体側レール部材の前記１’〜４’壁部は、引出体側レール部材の右側又は左側に配置されてなる請求項１記載の複式ガイドレール。
【請求項４】
引出体側レール部材に内挿されているユニット体と収納体側レール部材に内挿されているユニット体とが同じである請求項１〜３の何れか１記載の複式ガイドレール。
【請求項５】
引出体側に取り付けられ、引出体側レール部材と中間レール部材とを外側から覆うように配設され、これら両部材を上下方向に概ね覆う幅の板状部材を更に具備してなる請求項１〜４の何れか１記載の複式ガイドレール。
【請求項６】
前記何れかのユニット体の保持部材の引出体前方側端部が、中間レール部材又は収納体側レール部材の所定位置に設けられた第１係合部に当接して引き出し抵抗の急上昇をもたらし、引出体後方側端部が、中間レール部材又は収納体側レール部材の他の所定位置に設けられた第２係合部に当接して押し込み抵抗の急上昇をもたらす請求項１〜５の何れか１記載の複式ガイドレール。
【発明の詳細な説明】
【０００１】
【発明の属する技術分野】
本発明は、キャビネット等のオフィス用家具や家庭用家具等の引出体の出し入れを行う際の摩擦低減用に用いるガイドレールに関し、固定側と移動側の他、中間レールの存在する、所謂、複式ガイドレールに関する。本願の引出体とは、引き出される物一般を表現しており、抽斗や引き出されるテーブル等が含まれる。
【０００２】
【従来の技術】
従来から、キャビネットの抽斗のように、重いものを引き出す場合、それを滑らかに引き出すために、個別ローラを組み込んだ単式や複式のガイドレールが用いられている。例えば下記特許文献１には、個別ローラを使用した複式ガイドレールが開示されている。また、下記特許文献２には個別ローラに代わり、複数個のローラ（円板状部材も含む）をリテーナに装着したユニット部品を組み込んだスライドレールが開示されている。また、下記特許文献３には複式のガイドレールが開示されています。中間レールの外側とアウターレール内側とにはボールを介在させ、中間レールの内側とインナーレールの外側とにもボールを介在させて、夫々円滑にスライド可能に構成している。更には、下記特許文献４にも特許文献３と同様なボール介在式構造の複式ガイドレールが開示されている。
【特許文献１】
特公平６−２４４８９号公報
【特許文献２】
特許第３３５４６３７号公報
【特許文献３】
特公平８−１２１３号公報
【特許文献４】
特開２００１−３７５６４号公報
【０００３】
【発明が解決しようとする課題】
上記文献１開示の複式ガイドレールでは、中間レール部材に装着され、収納体（筐体）側レール部材と抽斗側レール部材とに亘って作動する個別ローラが存在するため、円滑な複式ガイドレールにするためには、家具組立に高い組立精度を要し、製造が容易でない。また、上記文献２のスライドレールは単式ガイドレールである。更に、抽斗収納体である筐体の大きさに対して抽斗を可及的に大きくすることは、家具のコンパクトさを考えれば当然の課題である。また、上記文献２のインナレール部材は所定隙間を有しているため、抽斗側に装着されて引き出されると内挿されたユニット部品等が外部から覗き見えることもあり、美観を損なう他、摺動部材であるため、例えばグリースが付着していることもあり、手や衣服を汚す虞もある。
【０００４】
特許文献３と４では、抽斗の荷重を考えて各レールを滑らかにスライドさせるためには、ボールを受容する各レールの溝を精度の高い曲面に形成する必要がある。このため、製造コストが高く、また、製造手数も要することになる。また、複数個のボールがバラバラになるため、組立が簡便ではない。
依って本発明は、精度の高い曲面を要しないレールであって、レールの幅を小さくコンパクト化できる構造の複式ガイドレールの提供を目的とする。
また、組立を簡便に行えることを目的とする。
また、引出体を引き出した場合に、美観を保持しつつ使用者への汚れ付着を防止することを目的とする。
【０００５】
【課題を解決するための手段】
上記目的に鑑みて本発明の請求項１では、キャビネット等の家具の引出体と収納体との間に設けられ、収納体側に装着された収納体側レール部材と、該レール部材に対して相対移動する中間レール部材と、該中間レール部材に対して相対移動すると共に引出体側に装着された引出体側レール部材とを有する複式ガイドレールであって、引出体側レール部材は、その横断面において、第１壁部と、該第１壁部の一端部において折曲状に延伸した第２壁部と、他端部においても第１壁部に対して第２壁部と同じ側に折曲状に延伸した第４壁部と、第２壁部の延伸先側端部において、該第２壁部に対して第１壁部と同じ側に折曲状に延伸し、第４壁部とは離隔している第３壁部とを具備し、収納体側レール部材は、その横断面において、第１’壁部と、該第１’壁部の一端部において折曲状に延伸した第２’壁部と、他端部においても第１’壁部に対して第２’壁部と同じ側に折曲状に延伸した第４’壁部と、第２’壁部の延伸先側端部において、該第２’壁部に対して第１’壁部と同じ側に折曲状に延伸し、第４’壁部とは離隔している第３’壁部とを具備し、中間レール部材は、その横断面における一端側が、引出体側レール部材の第３壁部と第４壁部との間の隙間開口を介して内部に挿入され、前記第３壁部の側から第１壁部の側に向かって延伸するＡ壁部と、該Ａ壁部の前記第１壁部に近い側の端部から前記第２壁部に向かって延伸するＢ壁部と、該Ｂ壁部の前記第２壁部に近い側の端部から前記第１壁部に向かって延伸するＣ壁部とを具備して引出体側レール部材とは互いに隙間を有して離隔しており、また、他端側が、収納体側レール部材の前記第３’壁部と第４’壁部との間の隙間開口を介して内部に挿入され、前記第３’壁部の側から第１’壁部の側に向かって延伸するＡ’壁部と、該Ａ’壁部の前記第１’壁部に近い側の端部から前記第２’壁部に向かって延伸するＢ’壁部と、該Ｂ’壁部の前記第２’壁部に近い側の端部から前記第１’壁部に向かって延伸するＣ’壁部と、Ａ’壁部に連続して該収納体側レール部材の外方に延伸し、前記Ａ壁部に連続する延伸部とを具備して収納体側レール部材とは互いに隙間を有して離隔しており、引出体側レール部材と収納体側レール部材の夫々の内部に、保持部材に装着され、夫々のレール部材と中間レール部材との２次元方向のガタを規制するよう２つの部材壁部間にほぼ亘って配設された、夫々少なくとも４箇所に配設された転動体を有するユニット体を具備し、前記引出体側レール部材内のユニット体は、引出体側レール部材に内挿されると共に中間レール部材のＢ壁部とＣ壁部とを内挿する横断面形状を有する保持部材と、該保持部材に装着され、第１壁部とＢ壁部との対向壁面間にほぼ亘って転動する第１転動体と、第３壁部とＢ壁部との対向壁面間にほぼ亘って転動する第２転動体と、第４壁部とＣ壁部との対向壁面間にほぼ亘って転動する第３転動体と、第２壁部とＡ壁部との対向壁面間にほぼ亘って転動する第４転動体とを具備し、前記収納体側レール部材内のユニット体は、収納体側レール部材に内挿されると共に中間レール部材のＢ’壁部とＣ’壁部とを内挿する横断面形状を有する他の保持部材と、該保持部材に装着され、第１’壁部とＢ’壁部との対向壁面間にほぼ亘って転動する第１’転動体と、第３’壁部とＢ’壁部との対向壁面間にほぼ亘って転動する第２’転動体と、第４’壁部とＣ’壁部との対向壁面間にほぼ亘って転動する第３’転動体と、第２’壁部とＡ’壁部との対向壁面間にほぼ亘って転動する第４’転動体とを具備する以上の３つのレール部材の組合せが存在することを特徴とする複式ガイドレールを提供する。
各レール部材は、夫々１本ずつとは限らず、複数本の場合もある。この場合、転動体を装着したユニット体が増え、荷重が分散されてガイドレールの耐久性が向上する効果がある。
【０００６】
引出体側レール部材は、この壁部と中間レール部材の一端側壁部との間にほぼ亘って配設されて保持部材に装着された転動体を介して中間レール部材に対して相対移動し、中間レール部材は、これの他端側壁部と収納体側レール部材壁部との間にほぼ亘って配設されて保持部材に装着された転動体を介して収納体側レール部材に対して相対移動する。従って、中間レール部材に装着され、引出体側レール部材と収納体側レール部材とに亘って作動するローラが無く、組立要求精度は従来よりも格段に緩くて済む。更には、引出体側レール部材と中間レール部材は、また、中間レール部材と収納体側レール部材は、夫々互いに各転動体を介して２次元方向のガタが規制できるよう構成されているため、滑らかな作動が可能となる。更に重要なことは、第３転動体と第４転動体は、中間レール部材に対しては、そのＢ壁部の延伸長さ（幅）だけ離隔したＣ壁部とＡ壁部とに、夫々、ほぼ亘っているが、Ｂ壁部の幅に応じて、この幅方向に互いの転動体が重複して配設されているため、引出体側レール部材はこの幅方向にコンパクト化できる。また、同様に、第３’転動体と第４’転動体は、中間レール部材に対しては、そのＢ’壁部の延伸長さ（幅）だけ離隔したＣ’壁部とＡ’壁部とに、夫々、ほぼ亘っているが、Ｂ’壁部の幅に応じて、この幅方向に互いの転動体が重複して配設されているため、収納体側レール部材もコンパクト化できる。また、各レール部材は各壁部間を曲げているが、精度の高い曲面は不要となり、製造が容易であって、低コスト化できる。
【０００７】
請求項２では、前記引出体側レール部材を引出体の側面側に取り付け、収納体側レール部材の前記１’〜４’壁部は、引出体側レール部材の上側又は下側に配置されてなる請求項１記載の複式ガイドレールを提供する。
ガイドレールを引出体の側面側に設ける場合であり、引出体側レール部材と収納体側レール部材とを上下に配設するため、ガイドレールの左右方向幅を小さくでき、その分、引出体の幅を大きくできる。
【０００８】
請求項３では、前記引出体側レール部材を引出体の底側に取り付け、収納体側レール部材の前記１’〜４’壁部は、引出体側レール部材の右側又は左側に配置されてなる請求項１記載の複式ガイドレールを提供する。
ガイドレールを引出体の底側に設ける場合であり、引出体側レール部材と収納体側レール部材とを左右に配設するため、ガイドレールの上下方向幅を小さくでき、その分、引出体の高さを大きくできる。
【０００９】
請求項４では、前記ユニット体は、引出体側レール部材に内挿されているものと収納体側レール部材に内挿されているものとが同じである請求項１〜３の何れか１記載の複式ガイドレールを提供する。
両レール部材に内挿しているユニット体を同じにすれば、ユニット体の種類を少なくでき、低コスト化が達成できる。
【００１０】
請求項５では、引出体側に取り付けられ、引出体側レール部材と中間レール部材とを外側から覆うように配設され、これら両部材を上下方向に概ね覆う幅の板状部材を更に具備してなる請求項１〜４の何れか１記載の複式ガイドレールを提供する。
上記板状部材の存在は、引出体側レール部材の隙間開口から、内挿されているユニット体が覗き見えることを防止できる他、移動する中間レール部材をも上下方向に概ねカバーするため、これら摺動部材は、例えばグリ−スが付着していることもあり、手や衣服がこれらに触れることも防止できる。
【００１１】
請求項６では、前記何れかのユニット体の保持部材の引出体前方側端部が、中間レール部材又は収納体側レール部材の所定位置に設けられた第１係合部に当接して引き出し抵抗の急上昇をもたらし、引出体後方側端部が、中間レール部材又は収納体側レール部材の他の所定位置に設けられた第２係合部に当接して押し込み抵抗の急上昇をもたらす請求項１〜５の何れか１記載の複式ガイドレールを提供する。
必須部材である保持部材を利用して引出体の引き出しと押し込みの各抵抗の急上昇をもたらせば、引出体を一旦停止させることもでき、機構も簡便である。
【００１２】
【発明の実施の形態】
以下、本発明を添付図面に示す実施形態例に基づき、更に詳細に説明する。
図１は本発明に係る複式ガイドレールの側面図であり、収納状態から少しだけ引き出した状態を示す。図２は矢視線Ｂ−Ｂによる拡大横断面図であるが、後述するユニット体は単純な平面で切断した状態を示しておらず、ローラを明示するための図としている。家具としてキャビネットを例とし、引出体としての抽斗２０が収納体としての筐体１０に対して水平方向に出し入れされる場合の、水平方向にガイドする機構を示す。しかし、上下方向等、水平方向以外に案内するものでも本願の範囲内である。
【００１３】
まず、主に図２を参照しながら抽斗側レール部材と中間レール部材間のガイド機構を説明する。抽斗側レール部材２２は、この例では抽斗２０の側面部に装着されている。抽斗側面２０Ｈに設けたブラケット２０Ｂを介して抽斗を取り付けているが、抽斗側壁に直接に取り付ける等してもよい。その左右（方向）平板状壁部２２Ａ（第１壁部）（以下、種々の壁部に対して平板状を省略する）の左右端部では、夫々上下（方向）壁部２２Ｄ（第４壁部），２２Ｂ（第２壁部）が直角に折曲状に延伸形成され、抽斗側面２０Ｈ側の上下壁部２２Ｂの下端部では前記左右壁部２２Ａと同じ側に、平行に左右（方向）壁部２２Ｃ（第３壁部）が折曲状に延伸形成されている。
【００１４】
左右壁部２２Ｃは左右壁部２２Ａよりも延伸幅が小さく、また、上下壁部２２Ｄは上下壁部２２Ｂよりも延伸幅が小さい。従って、左右壁部２２Ｃと上下壁部２２Ｄとの間には隙間開口が存在する。隙間開口を確保するためには、左右壁部２２Ｃと上下壁部２２Ｄとの何れか一方の幅が小さければ、他方は壁部２２Ａや２２Ｂと同じか、より長くてもよい。更には、この例では抽斗側レール部材２２では、各壁部は直角に折曲状に延伸しているが、本願ではこれらの壁部間の角度は直角に限らない。こうした一般的な角度では、壁部２２Ｄと２２Ｃとの間に隙間開口があればよく、上記の如き幅寸法の関係は不用である。
【００１５】
図２の例に戻ると、中間レール部材１２の一端側（図２の上部）は、前記左右壁部２２Ｃの端部近くから上方に延伸して上下壁部１２Ａとし、その上側端部を壁部２２Ｂの方向に水平に折曲状に延伸させて左右壁部１２Ｂとし、壁部２２Ｂに近づいた位置で更に壁部２２Ａの方向に折曲状に延伸させて上下壁部１２Ｃとし、壁部２２Ａとは離隔させている。
【００１６】
一方、壁部１２Ａは下方向に延伸して、収納体側レール部材としての後述の筐体側レール部材２２’（と２４’）に内挿されている中間レール部材の他端側（図２の下部）の上下壁部１２Ａ’と連続しており、１つの平板状を成している。以上の如く、中間レール部材１２は抽斗側レール部材２２とは離隔しており、一切当接部位は存在しない。こうした離隔状態を維持すべく、図３に側面図を示すユニット体を抽斗側レール部材に内挿している。
【００１７】
上記ユニット体の本体部である保持部材３０の横断面形状は、中間レール部材１２の壁部１２Ｂ，１２Ｃを内挿できると共に、抽斗側レール部材内部に挿入できる形状をしている。その横断面形状は図２に現われている。保持部材には、横断面において４箇所に配設された転動体としての円板状体を含む円柱体又は円筒体のローラＲ１，Ｒ２，Ｒ３，Ｒ４が装着されている。即ち、図２において、上方のローラＲ１は左右軸線Ｃ１を中心として回転し、下方のローラＲ２は他の左右軸線Ｃ２を中心にして回転し、上方のローラＲ３は上下軸線Ｃ３を中心にして回転し、下方のローラＲ４は他の上下軸線Ｃ４を中心にして回転する。
【００１８】
ローラＲ１は壁部１２Ｂと２２Ａとの間にほぼ亘る大きさであり、ローラＲ２は壁部１２Ｂと２２Ｃとの間にほぼ亘る大きさである。従って、抽斗側レール部材と中間レール部材との上下方向のガタを防止できる。また、ローラＲ３は壁部１２Ｃと２２Ｄとの間にほぼ亘る大きさであり、ローラＲ４は壁部１２Ａと２２Ｂとの間にほぼ亘る大きさである。従って、抽斗側レール部材と中間レール部材との左右方向のガタを防止できる。
【００１９】
図３（側面図）において、ローラＲ１は保持部材３０の前後に３個づつ、ローラＲ２は前後に２個づつ、ローラＲ３は前後に１個づつ、ローラＲ４は前後に１個づつ、夫々取り付けられているが、４種類とも前後に１個づつだけ設けたり、或いは、４種類とも全体で１個づつでもよい。
【００２０】
抽斗側レール部材２２の上下方向内寸は、ローラＲ１とＲ２の各直径寸法と壁部１２Ｂの板厚を合わせた寸法が必要である。しかし、左右方向内寸は、ローラＲ３とＲ４の各直径寸法と壁部１２Ｃ（又は１２Ａ）の板厚を合わせた寸法よりも小さくて済む。即ち、壁部１２Ｂの幅寸法Δ分だけ小さくて済む。従って、筐体１０の内部に設けた抽斗収納のための収納空間において、抽斗側レール部材２２の左右幅を小さくすることができ、延いては、抽斗の左右方向寸法を可及的に大きくできる。
【００２１】
また、抽斗を引き出せば、共に移動する抽斗側レール部材２２は、壁部２２Ｃと２２Ｄとの間の隙間開口から、内部に挿入されているユニット体が見えてしまう虞がある。そこで、抽斗２０に取り付け、壁部２２Ｄの筐体側（外側）に位置して、該壁部２２Ｄの上方位置から該壁部下端よりも下方であって、筐体側レール部材２２’（と２４’）の後述の壁部２２Ｄ’の下部にまで達している２点鎖線で示す目隠し用壁部２８（板状部材）を設ければ、ユニット体を隠すことができる他、使用者が抽斗側レール部材２２や中間レール部材１２に接触することも防止できる。
【００２２】
既に述べているが、上記形態例では抽斗側レール部材２２の各壁部は直角に折曲状に延伸しているが、これらの壁部間の角度は直角に限らない。また、中間レール部材１２の各壁部も直角に折曲状に延伸しているが、これらの壁部間の角度も直角に限らない。
【００２３】
次に、中間レール部材１２と筐体側レール部材２２’（２４’）とのガイド機構を説明する。まず、筐体側レール部材は、既述の抽斗側レール部材２２と同様なレール部材（狭義の筐体側レール部材）２２’の左右壁部２２Ａ’外側に溶接接合した横断面Ｌ字状のレール部材２４’を具備している。このＬ字状レール部材の上下壁部を筐体１０に固定しているが、Ｌ字レール部材無しでレール部材２２’を直接に筐体１０に固定する等でもよい。狭義の筐体側レール部材２２’と中間レール部材１２の下部とのガイド機構は、上述した抽斗側レール部材２２と中間レール部材１２の上部とのガイド機構と同様である。各対応する部位や部材には同じ番号、記号を用い、それに「’」を付している。作用効果も同じである。
【００２４】
図４は上記レール部材２２’に内挿している保持部材３０’とこれに装着されたローラとを有する他のユニット体の側面図であり、図３のものと同一寸法形態（同一）である。従って、複式ガイドレールを低コスト化できるが、レール部材２２’等の寸法形態を変えることで、異なるユニット体とすることもできる。
【００２５】
また、この形態例では、この２つのガイド機構は同じ寸法形態でもあり、横断面では上下対称であり、壁部１２Ｂの幅寸法Δと壁部１２Ｂ’の幅寸法Δ’は同じである。しかし、同じ寸法形態である必要は無い。更には、同じ寸法形態であっても、必ずしも上下対称に配設する必要も無い。従って、夫々のレール部材２２，２２’の隙間開口の位置も種々の位置関係が有り得る。その場合、中間レール部材１２の壁部１２Ａと１２Ａ’が必ずしも１つの平板状に連結されず、途中で折り曲げた形状になり得る。
【００２６】
２つのレール部材２２，２２’が上下の配置関係でなく、左右の配置関係であったり、また、この複式ガイドレールが、抽斗２０の底面の下側に配設される場合も有る。この場合の２つのレール部材２２，２２’の配置関係や寸法形態等は、抽斗の側部に配設された前述の場合と同様に種々有り得る。抽斗側レール部材２２を、抽斗底面に対面するように取り付ける場合、図２における面２０Ｈを底面と見なすと、レール部材２２の高さ寸法をΔ分、また、レール部材２２’の高さ寸法をΔ’分小さくできる。従って、抽斗の深さ寸法を大きくできる。
【００２７】
この場合は、例えば、抽斗の左右幅の中央寄りの位置というように、抽斗に対するガイドレールの装着位置によっては上記目隠し用壁部２８は無くても、美観上及び人への接触防止上の問題なく構成できる。また、壁部２８の装着根元位置は、抽斗の側面でもよく、底面でもよい。
以上の２つのレール部材２２，２２’（と２４’）の夫々の取り付け対象体である抽斗と筐体とを入れ換えることもできる。即ち、図２の１０を抽斗、２０を筐体と考えることができる。しかし、壁部２８の取付位置は変更となる。
【００２８】
図５は、抽斗を最前位置まで引き出した場合の複式ガイドレールの要部側面図である。抽斗と共に抽斗側レール部材２２が移動し、それに伴って、内挿しているユニット体が該レール部材２２の半分の速度で移動する。また、中間レール部材１２と、筐体側レール部材２２’に内挿されているユニット体との関係も同様である。ローラの存在によって各移動部材は滑らかな転がり摩擦によって移動できる。
【００２９】
主に図１と図５を参照する。抽斗を引き出した場合は、中間レール部材１２に設けた停止部（第１係合部）１２ＦＳに対してユニット体の保持部材３０の前端部３０Ｆ（図３）が当接することによりユニット体が停止する。しかし、抽斗を更に強く引けば、抽斗と共にレール部材２２が、ユニット体の各ローラとの転がり摩擦で前進するのではなく、ユニット体が停止状態のまま抵抗の大きな滑りによって前進し、落下することが有り得る。これを防止すべく、レール部材２２の後端近くに設けた前進停止体２２ＨＳが保持部材３０の後端部３０Ｒ（図３）に当接するよう構成している。即ち、レール部材１２に設けた停止部１２ＦＳに対してユニット体の保持部材３０の前端部３０Ｆが当接するのとほぼ同時に、前進停止体２２ＨＳが保持部材後端部３０Ｒに当接するように構成している。
【００３０】
停止部１２ＦＳに対して保持部材３０の前端部３０Ｆが当接した状態となれば、中間レール部材１２が引き出され始める。そうしてやがて他のユニット体の保持部材３０’の前端部３０Ｆ’（図４）が、筐体側レール部材２２’に設けた停止部（第１係合部）２２ＦＳ’に当接して該他のユニット体が停止する。この場合も、抽斗を更に強く引けば、他のユニット体の各ローラが回転することなく、該ローラに対して抵抗の大きな滑り摩擦によって中間レール部材１２が引き出され、抽斗が落下することも有り得る。これを防止するために、中間レール部材１２の後端部に、前進停止体１２ＨＳ’を設けており、これが他のユニット体の保持部材後端部３０Ｒ’（図４）に当接して停止できる。即ち、保持部材３０’の前端部が筐体側レール部材の停止部２２ＦＳ’に当接して該他のユニット体が停止するのとほぼ同時に、中間レール部材の前進停止体１２ＨＳ’が保持部材後端部に当接するように構成している。
【００３１】
また、抽斗を収納させる場合、保持部材３０の後端部が、中間レール部材１２の適宜位置に設けた停止部（第２係合部）１２ＲＳに当接してユニット体が停止する。
保持部材３０の後端部が、中間レール部材１２の停止部１２ＲＳに当接した状態から、抽斗を更に押し込むと、中間レール部材１２も後退し始める。やがて、他のユニット体の保持部材３０’の後端部が筐体側レール部材２２’の適宜位置に設けた停止部（第２係合部）２２ＲＳ’に当接して該他のユニット体が停止する。
【００３２】
しかし、抽斗を更に強く押せば、抽斗等と共に中間レール部材１２が、他のユニット体の各ローラとの転がり摩擦で後退するのではなく、他のユニット体が停止状態のまま抵抗の大きな滑りによって後退し、後方に空間がある場合は落下する。これを防止すべく、中間レール部材１２の適宜位置に設けた後退停止体１２ＳＳ’が保持部材３０’の前端部に当接するように構成している。即ち、他のユニット体の保持部材３０’の後端部が筐体側レール部材の停止部２２ＲＳ’に当接して該他のユニット体が停止するのとほぼ同時に、中間レール部材の後退停止体１２ＳＳ’が保持部材３０’の前端部に当接するように構成している。
【００３３】
また更に、抽斗を更に強く押せば、抽斗と共にレール部材２２が、ユニット体の各ローラとの転がり摩擦で後退するのではなく、ユニット体が停止状態のまま滑りによって後退し、後方に空間がある場合は落下する。これを防止すべく、レール部材２２の適宜位置に設けた後退停止体２２ＳＳが保持部材３０の前端部に当接するように構成している。即ち、保持部材３０の後端部が中間レール部材の停止部１２ＲＳに当接してユニット体が停止するのとほぼ同時に、抽斗側レール部材の後退停止体２２ＳＳが保持部材３０の前端部に当接するように構成している。
【００３４】
本願は抽斗以外にテーブル等にも適用できることは既述の通りである。
重複記載となる部分もあるが、異なる形態例において説明した各事項は、特に矛盾のない限り、他の形態例にも適用できる。
【００３５】
【発明の効果】
以上の説明から明らかなように本発明によれば、精度の高い曲面を要しないレールであって、レールの幅を小さくコンパクト化できる構造の複式ガイドレールの提供が可能となる。
【図面の簡単な説明】
【図１】図１は本発明に係る複式ガイドレールの側面図である。
【図２】図２は図１の矢視線Ｂ−Ｂによる拡大横断面図である。
【図３】図３はユニット体の側面図である。
【図４】図４は他のユニット体の側面図である。
【図５】図５は引き出し状態の複式ガイドレールの要部側面図である。
【符号の説明】
１０                          筐体（収納体）
１２                          中間レール部材
２０                          抽斗
２２                          抽斗側レール部材
２２’                        筐体側レール部材（収納体側レール部材）
２８                          目隠し用壁部
３０，３０’                  保持部材
Ｒ１，Ｒ２，Ｒ３，Ｒ４        ローラ（転動体）
【図１】
2004215750.tif 000003
【図２】
2004215750.tif 000004
【図３】
2004215750.tif 000005
【図４】
2004215750.tif 000006
【図５】
2004215750.tif 000007